(57)【要約】【課題】気密性を高めることを可能とした遮蔽装置を提供することにある。【解決手段】端部１２ａを有したスクリーン１２と、上下方向に延在するベースプレート２１に対して前後方向に回動可能な第１サイドプレート２２と、第１サイドプレート２２と協働してスクリーン１２の上下方向に延びる端部１２ａを支持する第２サイドプレート２３とを備え、第１サイドプレート２２と第２サイドプレート２３とは、ベースプレート２１に対してほぼ垂直となる閉位置とベースプレート２１に対してほぼ平行となる開位置との間を連動して回動する。【選択図】図６
2019183479.tif 000002
【特許請求の範囲】
【請求項１】
遮蔽部材と、
上下方向に延びる縦枠に対して前後方向に回動可能なサイドプレートと、
前記サイドプレートと協働して前記遮蔽部材の上下方向に延びる端部を支持する支持手段と
を備える遮蔽装置。
【請求項２】
前記サイドプレートは、第１サイドプレートであり、
前記支持手段は、前記第１サイドプレートと対をなし、前記縦枠に対して前記前後方向に回動可能な第２サイドプレートである
請求項１に記載の遮蔽装置。
【請求項３】
前記第１サイドプレートと前記第２サイドプレートとは、前記縦枠に対して垂直となる閉位置と前記縦枠に対して平行となる開位置との間を連動して回動する
請求項２に記載の遮蔽装置。
【請求項４】
前記支持手段は、前記遮蔽部材の端部が有するマグネットまたは前記マグネットに磁気吸引される磁性体のうちの何れか一方であって、他方は、前記サイドプレートが備える
請求項１に記載の遮蔽装置。
【請求項５】
前記支持手段は、対をなす雄型と雌型の面ファスナのうちの何れか一方であって、
他方の面ファスナは前記サイドプレートに設けられる
請求項１に記載の遮蔽装置。
【請求項６】
前記遮蔽部材を昇降可能に支持するヘッド部と、
前記遮蔽部材を前記上下方向に昇降する操作部であって、前記ヘッド部における前方に配置される前方操作部および後方に配置される後方操作部とをさらに備える
請求項１ないし５のうち何れか１項に記載の遮蔽装置。
【請求項７】
前記ヘッド部における前記上下方向と交差する幅方向における２つの端部のうち少なくとも一方の端部に、前記前方操作部または前記後方操作部のうちの一方の操作部を備え、他方の端部に、他方の操作部を備える
請求項６に記載の遮蔽装置。
【請求項８】
前記遮蔽部材の下端部を床と接する状態に維持する保持部をさらに備える
請求項１ないし７のうち何れか１項に記載の遮蔽装置。
【請求項９】
前記遮蔽部材を昇降可能に支持する巻取パイプを備えたヘッド部をさらに備え、
前記サイドプレートは、前記遮蔽部材と前記巻取パイプの回転中心との間に位置する
請求項１ないし８のうち何れか１項に記載の遮蔽装置。
【請求項１０】
前記遮蔽部材を昇降可能に支持するヘッド部と、
前記ヘッド部の前面に垂下された遮蔽体とをさらに備える
請求項１ないし９のうち何れか１項に記載の遮蔽装置。
【請求項１１】
前記サイドプレートは、前記縦枠に対して一体的なベースプレートを介して取り付けられ、前記ベースプレートに対して回動可能である
請求項１ないし１０のうち、何れか１項に記載の遮蔽装置。
【発明の詳細な説明】
【技術分野】
【０００１】
本発明は、遮蔽部材の上下方向に延びる端部を支持するサイドプレートを備えた遮蔽装置に関する。
【背景技術】
【０００２】
特許文献１には、遮蔽装置としてのロールスクリーンが記載されている。特許文献１のロールスクリーンは、スクリーンの上下方向に延びる端部がサイドプレートによって支持されている。この種のロールスクリーンは、スクリーンと窓枠に設けられた枠体との隙間がサイドプレートによって塞がれることによって、外光が部屋内に入射されにくくし、遮光性を向上させている。
【先行技術文献】
【特許文献】
【０００３】
【特許文献１】特開２０１６−１９９９７１号公報
【発明の概要】
【発明が解決しようとする課題】
【０００４】
ところで、ロールスクリーンなどの遮蔽装置は、窓枠など枠体に設置されて日射遮蔽装置として使用される他に、階段と部屋との境界や部屋と部屋の境界などに設置されて、空間を仕切る間仕切りのような遮蔽装置として使用されることもある。特許文献１のようなロールスクリーンは、スクリーンの端部が一方の面側からサイドプレートによって支持されているだけである。したがって、特許文献１のようなロールスクリーンを間仕切りとして使用したときには、スクリーンが一方の面側から人や風などによって押されると、簡単に、サイドプレートから離れてしまう。また、スクリーンは、仕切られた一方の部屋と他方の部屋との間の気圧の差によっても、サイドプレートから離れてしまう。このようにサイドプレートとスクリーンとの間に隙間が生成されると、温度調節がされた部屋の空気が階段などに漏れてしまう。このようなことは、ロールスクリーン以外の遮蔽装置にも当てはまることである。
【０００５】
本発明は、上記課題を解決するためになされたものであり、その目的は、気密性を高めることを可能とした遮蔽装置を提供することにある。
【課題を解決するための手段】
【０００６】
上記課題を解決するための遮蔽装置は、遮蔽部材と、上下方向に延びる縦枠に対して前後方向に回動可能なサイドプレートと、前記サイドプレートと協働して前記遮蔽部材の上下方向に延びる端部を支持する支持手段とを備える。
【０００７】
上記遮蔽装置において、前記サイドプレートは、第１サイドプレートであり、前記支持手段は、前記第１サイドプレートと対をなし、前記縦枠に対して前記前後方向に回動可能な第２サイドプレートとしてもよい。
【０００８】
上記遮蔽装置において、前記第１サイドプレートと前記第２サイドプレートとは、前記縦枠に対してほぼ垂直となる閉位置と前記縦枠に対してほぼ平行となる開位置との間を連動して回動するようにしてもよい。
【０００９】
上記遮蔽装置において、前記支持手段は、前記遮蔽部材の端部が有するマグネットまたは前記マグネットに磁気吸引される磁性体のうちの何れか一方であって、他方は、前記サイドプレートが備えるようにしてもよい。
【００１０】
上記遮蔽装置において、前記支持手段は、対をなす雄型と雌型の面ファスナのうちの何れか一方であって、他方の面ファスナは前記サイドプレートに設けられるようにしてもよい。
【００１１】
上記遮蔽装置において、前記遮蔽装置は、前記遮蔽部材を昇降可能に支持するヘッド部と、前記遮蔽部材を前記上下方向に昇降する操作部であって、前記ヘッド部における前方に配置される前方操作部および後方に配置される後方操作部とをさらに備えるようにしてもよい。
【００１２】
上記遮蔽装置において、前記ヘッド部における前記上下方向と交差する幅方向における２つの端部のうち少なくとも一方の端部に、前記前方操作部または前記後方操作部のうちの一方の操作部を備え、他方の端部に、他方の操作部を備えるようにしてもよい。
【００１３】
上記遮蔽装置において、前記遮蔽部材の下端部を床と接する状態に維持する保持部をさらに備えるようにしてもよい。
上記遮蔽装置において、前記遮蔽部材を昇降可能に支持する巻取パイプを備えたヘッド部をさらに備え、前記サイドプレートは、前記遮蔽部材と前記巻取パイプの回転中心との間に位置するようにしてもよい。
【００１４】
上記遮蔽装置において、前記遮蔽部材を昇降可能に支持するヘッド部と、前記ヘッド部の前面に垂下された遮蔽体とをさらに備えるようにしてもよい。
上記遮蔽装置において、前記サイドプレートは、前記縦枠に対して一体的なベースプレートを介して取り付けられ、前記ベースプレートに対して回動可能であるようにしてもよい。
【発明の効果】
【００１５】
本発明によれば、気密性を高めることを可能とした遮蔽装置を提供することができる。
【図面の簡単な説明】
【００１６】
【図１】第１実施形態におけるロールスクリーンの正面図。
【図２】第１実施形態におけるロールスクリーンの上面図。
【図３】第１実施形態におけるロールスクリーンの閉塞機構の側面図。
【図４】第１実施形態におけるロールスクリーンの閉塞機構の分解斜視図。
【図５】（ａ）はベースプレートの断面図、（ｂ）は第１サイドプレートおよび第２サイドプレートの断面図。
【図６】（ａ）は第１サイドプレートが開いた状態を示す断面図、（ｂ）は第２サイドプレートが閉じた状態を示す断面図。
【図７】第２実施形態のロールスクリーンにおける閉塞機構の側面図。
【図８】第３実施形態のロールスクリーンにおける閉塞機構の断面図。
【図９】第３実施形態のロールスクリーンにおける閉塞機構の側面図。
【図１０】第４実施形態のロールスクリーンにおける閉塞機構の断面図。
【発明を実施するための形態】
【００１７】
以下、遮蔽装置の一実施形態であるロールスクリーンについて図面を参照して説明する。
〔第１実施形態〕
このロールスクリーンは、一例として、部屋と階段とを仕切る間仕切りとして使用される。図１及び図２に示すように、ロールスクリーン１０は、部屋から見て階段の入口となる開口に設けられた設置部２に取り付けられる。ここでは、ロールスクリーン１０の前面が部屋側を向き、後面が階段側を向いている。設置部２は、少なくとも天井や天井に設けられた上枠などである。ロールスクリーン１０は、設置部２に取り付けられるヘッド部１１と、ヘッド部１１から垂下されるスクリーン１２とを備えている。スクリーン１２は本開示における遮蔽部材として機能する。ヘッド部１１は、ブラケット４を介して設置部２に取り付けられる。ヘッド部１１は、幅方向における両端部にサイドカバー１１ｂを備えている。サイドカバー１１ｂは、内部に、スクリーン１２を巻回する巻取軸としての巻取パイプ１１ａを回転可能に支持している。図３に示すように、巻取パイプ１１ａは、ヘッド部１１の幅方向に延在しており、幅方向における一端部にスプロケット１３を備えている。スプロケット１３には、操作部として、巻取パイプ１１ａを回転する環状の操作チェーン１４が係合されている。操作チェーン１４は、ヘッド部１１の幅方向における一端部より垂下されており、操作チェーン１４を構成する２本のチェーンが垂下されている。操作チェーン１４は、２本のチェーンのうちの何れか一方のチェーンを引き下げる操作を行うことで、巻取パイプ１１ａをスクリーン１２の引き出し方向に回転させたり、スクリーン１２の巻取方向に回転させる。これにより、ウェイトバー１５とともにスクリーン１２が昇降される。
【００１８】
スクリーン１２は、一例として、帯形状の布などの可撓性シートに対して、全体が耐久性を向上させるために、ポリ塩化ビニル等の軟質の樹脂材料によって、樹脂コーティングが施されている。スクリーン１２の上端部は、巻取パイプ１１ａに固定され、下端部は、スクリーン１２の位置を上下方向に沿って安定させるウェイトバー１５が取り付けられている。スクリーン１２において、上縁部と下端部との間における上下方向に延びる縦縁部は、スクリーン１２やウェイトバー１５の間において上下方向に延びる端部１２ａ（図１参照）である。ヘッド部１１は、巻取パイプ１１ａの周辺に生じる隙間を閉塞する遮蔽体１６を備えている。遮蔽体１６は、一例として、部屋側のヘッド部１１の前面において、上部から下部に向けて垂下されている。巻取パイプ１１ａにスクリーンが巻き取られた巻取部は、巻き取られたスクリーン１２の巻量に応じて直径が変化するため、正面または背面から見て巻取部の周囲の隙間の大きさが変化する。ウェイトバー１５が下げられたときには、巻取部が小径になることで巻取パイプ１１ａの周囲の隙間が大きくなる。遮蔽体１６は、巻取パイプ１１ａにおけるスクリーン１２の巻量に拘わらず、このような隙間を塞ぎ、部屋と階段との間において空気を流れにくくし、また、遮光性を向上させる。
【００１９】
また、ウェイトバー１５は、保持部としてのマグネット１７を備えている（図１参照）。また、床５のウェイトバー１５が対峙する位置に磁性体６が配置されている。マグネット１７は、一例として、最下端に幅方向に沿って配設されたマグネットシートであり、下限位置にまで降下されたときに、磁気吸引力によって、床５の磁性体６と密着される。これにより、下限位置において、ウェイトバー１５と床５との間に隙間が形成されにくくする。
【００２０】
以上のような基本構成を有するロールスクリーン１０は、縦枠３とスクリーン１２の端部１２ａとの隙間を塞ぐための閉塞機構２０を備えている。図４に示すように、閉塞機構２０は、幅方向の両側の縦枠３に設けられており、各閉塞機構２０は、縦枠３の表面に固定されるベースプレート２１と、ベースプレート２１に対して回動可能であって、上下方向に延びる第１サイドプレート２２および第２サイドプレート２３とを備えている。ベースプレート２１は、一例として、床５から巻取パイプ１１ａまで延在する。第１サイドプレート２２および第２サイドプレート２３における上端は、一例として、ウェイトバー１５が上限位置であって巻取パイプ１１ａにスクリーン１２が巻き取られた巻取部が最大外径のとき、最大外径の巻取部より若干下側、すなわち干渉しないできるだけ高い位置とされる。また、下端は、一例として、床５に近接する位置である。
【００２１】
図５（ａ）に示すように、ベースプレート２１は、縦枠３に対してビス２４ａによって固定される固定プレートである。具体的には、ベースプレート２１は、前後方向に並んで２枚のサイドプレートを回動可能に支持するプレートである。取付孔２４にビス２４ａが挿通され、縦枠３に締め付けられることによって、ベースプレート２１が縦枠３に一体化される。ベースプレート２１には、前後方向における中央位置において、上下方向に延在するように第１サイドプレート２２および第２サイドプレート２３が回動可能に取り付けられる。ベースプレート２１は、前後方向における中央位置において、第１サイドプレート２２および第２サイドプレート２３が並列して上下方向に延在するように、第１回動支持部２５および第２回動支持部２６を備えている。第１回動支持部２５は、第１回動軸２５ａ（図４参照）が挿通される軸孔を構成する筒状部であり、第２回動支持部２６は、第２回動軸２６ａ（図４参照）が挿通される軸孔を構成する筒状部である。第１回動支持部２５および第２回動支持部２６の上下方向における両側は、第１サイドプレート２２の第１回動部２８および第２サイドプレート２３の第２回動部２９が配置される支持凹部２７となっている。
【００２２】
図５（ｂ）に示すように、第１サイドプレート２２および第２サイドプレート２３は、スクリーン１２の端部１２ａと重なる部分において、端部１２ａとベースプレート２１との隙間を塞ぐ可動プレートである。第１サイドプレート２２は、一例として、スクリーン１２に対して部屋側の空間に位置し、第２サイドプレート２３は、一例として、スクリーン１２に対して階段側の空間に位置する。第１サイドプレート２２および第２サイドプレート２３は、細長い矩形形状を有したプレートであって、第１サイドプレート２２は、一方の長辺に支持凹部２７に配置される第１回動部２８を備え、第２サイドプレート２３は、一方の長辺に支持凹部２７に配置される第２回動部２９を備えている。
【００２３】
第１回動部２８および第２回動部２９は、軸孔を構成する筒状部で構成された軸挿通部であって、第１回動部２８は、第１回動支持部２５と軸線が一致され、第１回動軸２５ａが挿通される。また、第２回動部２９は、第２回動支持部２６と軸線が一致され、第２回動軸２６ａが挿通される。第１サイドプレート２２は、ベースプレート２１に対してほぼ平行となる開位置とベースプレート２１に対してほぼ垂直となる閉位置との間、すなわちほぼ９０°の範囲を第１回動軸２５ａを中心に回動する。第２サイドプレート２３も、ベースプレート２１に対してほぼ平行となる開位置とベースプレート２１に対してほぼ垂直となる閉位置との間、すなわちほぼ９０°の範囲を第２回動軸２６ａを中心に回動する。
【００２４】
第１サイドプレート２２の回動中心は、ヘッド部１１から垂下しているスクリーン１２と巻取パイプ１１ａの回転中心１１ｃ（図３参照）との前後方向における間、すなわちスクリーン１２と巻取パイプ１１ａの回転中心１１ｃから垂下する仮想垂直面との間に位置する。すなわち、第１サイドプレート２２は、ベースプレート２１に対してほぼ垂直となる閉位置のとき、スクリーン１２と巻取パイプ１１ａの回転中心１１ｃとの間に位置する。第２サイドプレート２３は、その回動中心が第１サイドプレート２２と平行で、かつ、第１サイドプレート２２に対してスクリーン１２の外側に位置する。このように配置された第１サイドプレート２２および第２サイドプレート２３は、ベースプレート２１に対してほぼ垂直となる閉位置にあるとき、その間に、スクリーン１２の端部１２ａを挟み込む。また、ベースプレート２１に対してほぼ平行となる開位置のとき、第１サイドプレート２２および第２サイドプレート２３は、互いに外側を向くように、すなわち第１回動部２８および第２回動部２９とは反対側の自由端が互いに離間するように（反対側を向くように）位置する。
【００２５】
第１回動部２８は、その周囲に第１ギヤ部２８ａを備え、第２回動部２９は、その周囲に第２ギヤ部２９ａを備え、第１ギヤ部２８ａと第２ギヤ部２９ａとは、互いに噛合している。これにより、第１サイドプレート２２および第２サイドプレート２３とは連動する。したがって、第１サイドプレート２２が閉位置にあるときは、第２サイドプレート２３も閉位置にあり、第１サイドプレート２２が開位置にあるときは、第２サイドプレート２３も開位置となる。第１サイドプレート２２および第２サイドプレート２３は、閉位置にあるときの先端部の間の間隔がウェイトバー１５の幅方向における長さより短く設定されている。これにより、第１サイドプレート２２および第２サイドプレート２３が閉位置のときであっても、スクリーン１２およびウェイトバー１５が昇降可能に構成されている。
【００２６】
以上のように構成される各閉塞機構２０の組立は、先ず、ベースプレート２１を縦枠３に対してビス２４ａで固定する。次いで、ベースプレート２１の支持凹部２７に第１サイドプレート２２の第１回動部２８および第２サイドプレート２３の第２回動部２９を組み合わせる。そして、第１回動軸２５ａを第１回動支持部２５および第１回動部２８に挿通する。また、第２回動軸２６ａを第２回動支持部２６および第２回動部２９に挿通する。この際、第１回動部２８の第１ギヤ部２８ａと第２回動部２９の第２ギヤ部２９ａとは、互いに噛合する。これにより、第１サイドプレート２２および第２サイドプレート２３は、ベースプレート２１に対して連動して回動可能となる。
【００２７】
次に、以上のように構成されたロールスクリーン１０の作用について説明する。
図６（ａ）に示すように、ロールスクリーン１０は、第１サイドプレート２２および第２サイドプレート２３が開位置のときに、操作チェーン１４を操作してスクリーン１２の昇降が行われる。第１サイドプレート２２および第２サイドプレート２３が開位置にあるので、ウェイトバー１５の両端部は、第１サイドプレート２２および第２サイドプレート２３と接触することもなく円滑に昇降し、スクリーン１２も、円滑に昇降される。そして、ロールスクリーン１０が設置された部屋と階段との境界の開口は、第１サイドプレート２２および第２サイドプレート２３が開位置にあることで、狭くならず、通りにくくはならない。
【００２８】
そして、部屋と階段を仕切るときには、先ず、操作チェーン１４を操作してウェイトバー１５が下限位置まで下げられ、スクリーン１２によって２つの空間が仕切られた状態とする。この状態で、ウェイトバー１５は床５と磁気吸引されることによって、ウェイトバー１５と床５との間の隙間の形成が抑えられる。
【００２９】
図６（ｂ）に示すように、ウェイトバー１５が下限位置の状態で、開位置にある第１サイドプレート２２および第２サイドプレート２３の何れか一方のサイドプレートが開位置から閉位置へ閉方向に回動操作される。すると、他方のサイドプレートも連動して開位置から閉位置へ閉方向に回動する。これにより、スクリーン１２の端部１２ａは、第１サイドプレート２２および第２サイドプレート２３により挟まれ、端部１２ａとベースプレート２１との間の隙間が塞がれる。ここで、ウェイトバー１５が下げられたときには、巻取パイプ１１ａの周囲の隙間が大きくなるが、この隙間は、遮蔽体１６によって塞がれる。
【００３０】
第１サイドプレート２２および第２サイドプレート２３が閉位置にあるとき、一例として、端部１２ａと第１サイドプレート２２および第２サイドプレート２３との関係は、スクリーン１２の昇降の利便性を損なわないように、軽く接触する程度であって、スクリーン１２の昇降に支障がさほど出ない程度である。このような場合、スクリーン１２が第１サイドプレート２２および第２サイドプレート２３と接触し、スクリーン１２およびウェイトバー１５を昇降する操作チェーン１４の操作力が若干重くなることがあっても、スクリーン１２およびウェイトバー１５の昇降は可能である。
【００３１】
また、一例として、端部１２ａと第１サイドプレート２２および第２サイドプレート２３との関係は、端部１２ａを第１サイドプレート２２および第２サイドプレート２３で挟み込む。この場合、第１サイドプレート２２および第２サイドプレート２３は、端部１２ａを、スクリーン１２およびウェイトバー１５が昇降に支障が出る程度の挟持力で挟み込む。これにより、第１サイドプレート２２および第２サイドプレート２３が閉位置のとき、スクリーン１２およびウェイトバー１５の昇降は行いにくくなるが、端部１２ａと第１サイドプレート２２および第２サイドプレート２３との間に隙間が形成されにくくなり、空気が逃げにくくなる。
【００３２】
なお、ウェイトバー１５を上限位置の方向に上昇させるときには、第１サイドプレート２２および第２サイドプレート２３を閉位置から開位置へ開方向に回動させてから操作チェーン１４を操作することになる。
【００３３】
以上のようなロールスクリーン１０は、以下に列挙する効果を得ることができる。
（１−１）ウェイトバー１５が下限位置まで下ろされた状態において、スクリーン１２の端部１２ａは、第１サイドプレート２２および第２サイドプレート２３に挟まれることによって、端部１２ａとベースプレート２１との間の隙間を防ぐことができる。これにより、部屋の空間と階段の空間との間での空気の流れが遮断され、気密性を高めることができる。また、一方の空間からスクリーン１２が風や気圧の違いや手などによって押されることがあっても、端部１２ａは、第１サイドプレート２２および第２サイドプレート２３に挟まれているので、隙間が形成されにくくなる。
【００３４】
（１−２）第１サイドプレート２２および第２サイドプレート２３は連動して回動するので、何れか一方のサイドプレートを回動操作することで、他方のサイドプレートも回動させることができる。すなわち、ウェイトバー１５が下限位置にあるときにおいて、空間がスクリーン１２によって仕切られているときであっても、部屋側から第１サイドプレート２２を回動操作するだけで、第２サイドプレート２３を回動することができ、また、階段側から第２サイドプレート２３を回動操作するだけで、第１サイドプレート２２を回動することができる。これにより、操作性の向上を図ることができる。
【００３５】
（１−３）ウェイトバー１５が下限位置にある状態において、ウェイトバー１５は床５と磁気吸引されることによって、ウェイトバー１５と床５との間の隙間の形成が抑えられる。したがって、部屋の空間と階段の空間との間で空気が流れにくくなる。
【００３６】
（１−４）第１サイドプレート２２は、スクリーン１２と巻取パイプ１１ａの回転中心１１ｃとの間に位置している。第１サイドプレート２２の上端は、例えば、巻取パイプ１１ａにスクリーン１２が巻回された巻取部が最大径のとき（ウェイトバー１５が上限位置のとき）、巻取部に近接する位置となる。したがって、ウェイトバー１５が下限位置となり、巻取部と第１サイドプレート２２の上端部との隙間が大きくなっても、その隙間は、極力小さくすることができ、部屋の空間と階段の空間との間で空気を流れにくくすることができる。
【００３７】
（１−５）ヘッド部１１において、巻取パイプ１１ａの周囲の隙間は、上記（１−４）の隙間を含め、遮蔽体１６で塞ぐことができる。これにより、巻取部の直径に拘わらず、巻取部の周囲の隙間を塞ぐことができ、部屋の空間と階段の空間との間で空気が流れにくくなる。
【００３８】
〔第２実施形態〕
図７に示す第２実施形態のロールスクリーン４０は、前方操作部４１と後方操作部４６とを備えている。スクリーン１２の巻取パイプには、幅方向における一方の端部に巻取パイプと回転軸と同軸の駆動ギヤ４２が設けられている。そして、前方操作部４１は、ヘッド部１１より部屋側に延出する前方基板４１ａを備えている。前方基板４１ａには、駆動ギヤ４２に対して前方プーリギヤ４３と前方中間ギヤ４４が軸支されている。そして、駆動ギヤ４２には、前方中間ギヤ４４を介して前方プーリギヤ４３が接続されている。前方プーリギヤ４３には、操作チェーン１４が係合されている。
【００３９】
後方操作部４６は、ヘッド部１１より階段側に延出する後方基板４６ａを備えている。後方基板４６ａには、駆動ギヤ４２に対して後方プーリギヤ４７と後方中間ギヤ４８が軸支されている。そして、駆動ギヤ４２には、後方中間ギヤ４８を介して後方プーリギヤ４７が接続されている。後方プーリギヤ４７には、操作チェーン１４が係合されている。
【００４０】
以上のようなロールスクリーン４０は、以下に列挙する効果を得ることができる。
（２−１）操作者がスクリーン１２に対して部屋側に居るときは、前方操作部４１を使ってウェイトバー１５の昇降操作を行うことができる。さらに、ウェイトバー１５が下限位置にあるとき、第１サイドプレート２２を回動操作して、第１サイドプレート２２および第２サイドプレート２３を開位置から閉位置に回動させたり、閉位置から開位置に回動させることができる。
【００４１】
また、操作者がスクリーン１２に対して階段側に居るときは、後方操作部４６を使ってウェイトバー１５の昇降操作を行うことができる。さらに、ウェイトバー１５が下限位置にあるとき、第２サイドプレート２３を回動操作して、第１サイドプレート２２および第２サイドプレート２３を開位置から閉位置に回動させたり、閉位置から開位置に回動させることができる。
【００４２】
〔第３実施形態〕
第３実施形態のロールスクリーン５０は、スクリーン１２の端部１２ａを支持する支持手段としての第２サイドプレート２３を省略し、代わりに、第１サイドプレート２２に対して端部１２ａを磁気吸引する構成にしたものである。図８に示すように、第１サイドプレート２２には、マグネットとしてのマグネットシート５１が貼着されている。なお、第１サイドプレート２２には、第１ギヤ部２８ａは設けられていない。一方、スクリーン１２の端部１２ａには、磁性体シート５２を貼着する。磁性体シート５２としては、軟磁性体シートであってもよいし、マグネットシートであってもよい。
【００４３】
また、図９に示すように、第１サイドプレート２２の回動中心は、スクリーン１２と巻取パイプ１１ａの回転中心１１ｃとの前後方向における間、すなわちスクリーン１２と巻取パイプ１１ａの回転中心１１ｃから垂下する仮想垂直面との間に位置する。また、第１サイドプレート２２は、スクリーン１２よりも部屋側に位置している。このように、第１サイドプレート２２の位置は、閉位置のとき、ヘッド部１１から垂下されるスクリーン１２の端部１２ａと接触する程度の位置であることが好ましい。端部１２ａと第１サイドプレート２２との隙間も小さくなり、また、磁気吸引され易くなるからである。
【００４４】
以上のようなロールスクリーン５０にあっても、第１サイドプレート２２は、ウェイトバー１５が下げられスクリーン１２によって仕切らされたときに、開位置から閉位置に回動される。ウェイトバー１５が上昇された位置において、第１サイドプレート２２は、開位置にしておくことで、ロールスクリーン５０が設置された部屋と階段との境界の開口は、狭くならず、通り易い状態が維持される。ウェイトバー１５の昇降は、第１サイドプレート２２が開位置のときに行われることが好ましいが、閉位置のときであっても可能である。
【００４５】
以上のようなロールスクリーン５０は、以下に列挙する効果を得ることができる。
（３−１）ウェイトバー１５が下限位置にあるとき、スクリーン１２の端部１２ａは、磁性体シート５２が第１サイドプレート２２のマグネットシート５１に磁気吸引されることで、第１サイドプレート２２に支持される。このような構成によっても、ベースプレート２１とスクリーン１２の端部１２ａとの隙間を塞ぐことができる。
【００４６】
（３−２）このようなロールスクリーン５０にあっても、ウェイトバー１５の昇降は、第１サイドプレート２２が開位置のときに行われる。これにより、端部１２ａの磁性体シート５２が第１サイドプレート２２のマグネットシート５１に磁気吸引されてしまい、ウェイトバー１５の昇降の妨げにならいようにすることができる。
【００４７】
（３−３）図９に示すように、第１サイドプレート２２は、スクリーン１２と巻取パイプ１１ａの回転軸から垂下する仮想垂直面との間に位置している。すなわち、第１サイドプレート２２は、スクリーン１２よりも部屋側に位置している。したがって、階段側から見たときに、第１サイドプレート２２はスクリーン１２の端部１２ａで隠されることになり、見栄えが良くなる。部屋側から見たときには、第１サイドプレート２２が閉位置にあることを視認することができ、スクリーン１２とベースプレート２１との間の隙間が塞がれていることを視認することができる。また、部屋側からは、第１サイドプレート２２の回動操作を容易に行うことができる。
【００４８】
（３−４）第１サイドプレート２２の上端は、例えば、巻取パイプ１１ａにスクリーン１２が巻回された巻取部が最大径のとき（ウェイトバー１５が上限位置のとき）、巻取部に近接する位置となる。したがって、ウェイトバー１５が下限位置となり、巻取部と第１サイドプレート２２の上端部との隙間が大きくなっても、その隙間は、極力小さくすることができる。また、第１サイドプレート２２を、スクリーン１２に対して巻取パイプ１１ａと反対側（階段側）に配置したときよりも、巻取部と第１サイドプレート２２の上端部との隙間を極力小さくすることができる。さらに、第１サイドプレート２２を、巻取パイプ１１ａに対して垂下されるスクリーン１２とは反対側（部屋側）に配置したときよりも、巻取部と第１サイドプレート２２の上端部との隙間を小さくすることができる。
【００４９】
（３−５）巻取部に対して第１サイドプレート２２の上端部との隙間は、遮蔽体１６で塞ぐこともできる。
（３−６）ベースプレート２１は、第１サイドプレート２２だけを回動可能に支持すればよいことから、２枚のサイドプレートを回動可能に支持する場合よりも、前後方向の幅を狭くし小型化することができる。
【００５０】
〔第４実施形態〕
図１０に示すように、第４実施形態のロールスクリーン６０は、第１サイドプレート２２には、マグネットとしてのマグネットシート６１が貼着されている。一方、スクリーン１２の端部１２ａには、磁性体としての金属製のステープル６２が係止されている。
【００５１】
以上のようなロールスクリーン６０は、以下のように列挙する効果を得ることができる。
（４−１）スクリーン１２の端部１２ａには、磁性体シート５２ではなく、ステープル６２を設けているだけである。したがって、巻取パイプにスクリーン１２が巻回されたときに、幅方向の両端部が中央部よりも大径化してしまうことを防ぎ、巻ずれを防ぐことができる。
【００５２】
なお、以上のようなロールスクリーンは、さらに、以下のように適宜変更して実施することもできる。
・第１実施形態および第２実施形態において、第１サイドプレート２２および第２サイドプレート２３は、ベースプレート２１に対してではなく、縦枠３に対して直接回動可能に取り付けるようにしてもよい。また、第３実施形態および第４実施形態において、第１サイドプレート２２を縦枠３に対して直接回動可能に取り付けるようにしてもよい。これにより、ベースプレート２１の分、部品点数を削減することができる。
【００５３】
・ヘッド部１１に設けられる遮蔽体１６は、ヘッド部１１の前面に設けてもよいし、後面に設けてもよいし、前面および後面に設けてもよい。また、遮蔽体１６は、ヘッド部１１と設置部２としての天井面との間からヘッド部１１の前面に沿って垂下させるようにしてもよい。この場合、遮蔽体１６の端部をクリップに係止し、当該クリップをヘッド部１１と天井面との間の隙間に差し込むことによって構成することができる（一例として、特開２０１６−１９９９６８号公報参照）。さらに、遮蔽体１６を省略してもよい。
【００５４】
・第３実施形態および第４実施形態において、第１サイドプレート２２は、スクリーン１２と巻取パイプ１１ａの回転軸から垂下する仮想垂直面との間に位置していなくてもよい。一例として、第１サイドプレート２２は、スクリーン１２に対して、部屋側に位置していてもよいし（図９参照）、これとは逆に、階段側に位置していてもよい。第１サイドプレート２２がスクリーン１２に対して階段側に位置したときには、部屋側からは、第１サイドプレート２２が閉位置にあることを視認することができ、また、第１サイドプレート２２の回動操作を容易に行うことができる。階段側からは、第１サイドプレート２２がスクリーン１２の端部１２ａで隠され、見栄えが良くなる。
【００５５】
・第１実施形態および第２実施形態において、第１サイドプレート２２や第２サイドプレート２３は、巻取パイプ１１ａにスクリーン１２が巻回された巻取部の最大外径に合わせた前後方向における位置に配置するようにしてもよい。また、第３実施形態および第４実施形態において、第１サイドプレート２２は、巻取パイプ１１ａにスクリーン１２が巻回された巻取部の最大外径に合わせた前後方向における位置に配置するようにしてもよい。
【００５６】
・第３実施形態の変形例として、スクリーン１２の端部１２ａには、雄型または雌型の何れか一方の面ファスナを設け、第１サイドプレート２２には、他方の面ファスナを設けるようにしてもよい。
【００５７】
・ウェイトバー１５に設ける保持部は、図１ではウェイトバー１５にマグネット１７を備えているが、変形例として、これとは逆に、ウェイトバー１５が備える保持部を磁性体とし、床５に磁性体を磁気吸引するマグネットを配置するようにしてもよい。このような構成によっても、ウェイトバー１５と床５との間に隙間が形成されることを抑制できる。さらに、ウェイトバー１５の保持部は、マグネットを使用するのではなく、例えば、ゴムやウレタンなどの弾性体で構成してもよい。また、ウェイトバー１５と平行な折線を備えた蛇腹状のクッションシートであってもよい。このような構成によっても、弾性体の保持部と床５とを密着させて、ウェイトバー１５と床５との間に隙間が形成されることを抑制できる。さらに、床５またはウェイトバー１５の一方が備えたフックを他が備えた孔部等の係合部に係合させるようにして、ウェイトバー１５と床５とを密着させるようにしてもよい。さらに、このような床と接する状態に維持する保持部は、ロールスクリーン１０において必須構成ではなく、その構成を省略してもよい。
【００５８】
・第２実施形態において、前方操作部４１および後方操作部４６は、ヘッド部１１の幅方向における何れか一方の端部に設けてもよいし、両方の端部に設けるようにしてもよい。また、前方操作部４１および後方操作部４６のうちの一方の操作部をヘッド部１１の幅方向における何れか一方の端部に設け、他方の操作部をヘッド部１１の幅方向における他方の端部に設けるようにしてもよい。
【００５９】
・第１サイドプレート２２と第２サイドプレート２３とは連動して動作しなくてもよい。
・ウェイトバー１５の幅方向の長さは、閉位置にある第１サイドプレート２２および第２サイドプレート２３の先端部間の間隔よりも長くてもよい。このような場合において、ウェイトバー１５の幅方向における太さ（前後方向の寸法）が閉位置にある第１サイドプレート２２および第２サイドプレート２３の間隔より大きい場合は、第１サイドプレート２２および第２サイドプレート２３が閉位置にあるとき、ウェイトバー１５の幅方向における両端部が第１サイドプレート２２および第２サイドプレート２３の下端部に当たることでウェイトバー１５の下限位置からの上昇は禁止される。
【００６０】
一方で、ウェイトバー１５の太さ（前後方向の寸法）が閉位置にある第１サイドプレート２２および第２サイドプレート２３の間隔より小さい場合は、ウェイトバー１５も、閉位置にある第１サイドプレート２２および第２サイドプレート２３の間を通過して昇降することができる。
【００６１】
・巻取パイプ１１ａは、巻取パイプ１１ａを回転させる回転機構によって回転されるが、回転機構は、スプリングモータを備え、また、ウェイトバー１５を自由な高さに止めることができるフリーストップ機構を備える構成としてもよい。
【００６２】
・第１実施形態から第４実施形態のロールスクリーンは、部屋と階段を仕切る間仕切りではなく、窓枠に設置して日射遮蔽装置としても使用可能である。
・遮蔽装置としては、ロールスクリーンの他に、横型ブラインドや縦型ブラインド、プリーツスクリーン、たくし上げカーテン等、様々なタイプの遮蔽装置に使用可能である。
【符号の説明】
【００６３】
２…設置部、３…縦枠、４…ブラケット、５…床、６…磁性体、１０…ロールスクリーン、１１…ヘッド部、１１ａ…巻取パイプ、１１ｂ…サイドカバー、１１ｃ…回転中心、１２…スクリーン、１２ａ…端部、１３…スプロケット、１４…操作チェーン、１５…ウェイトバー、１６…遮蔽体、１７…マグネット、２０…閉塞機構、２１…ベースプレート、２２…第１サイドプレート、２３…第２サイドプレート、２４…取付孔、２４ａ…ビス、２５…第１回動支持部、２５ａ…第１回動軸、２６…第２回動支持部、２６ａ…第２回動軸、２７…支持凹部、２８…第１回動部、２８ａ…第１ギヤ部、２９…第２回動部、２９ａ…第２ギヤ部、４０…ロールスクリーン、４１…前方操作部、４１ａ…前方基板、４２…駆動ギヤ、４３…前方プーリギヤ、４４…前方中間ギヤ、４６…後方操作部、４６ａ…後方基板、４７…後方プーリギヤ、４８…後方中間ギヤ、５０…ロールスクリーン、５１…マグネットシート、５２…磁性体シート、６０…ロールスクリーン、６１…マグネットシート、６２…ステープル。
【図１】
2019183479.tif 000003
【図２】
2019183479.tif 000004
【図３】
2019183479.tif 000005
【図４】
2019183479.tif 000006
【図５】
2019183479.tif 000007
【図６】
2019183479.tif 000008
【図７】
2019183479.tif 000009
【図８】
2019183479.tif 000010
【図９】
2019183479.tif 000011
【図１０】
2019183479.tif 000012